(57)【要約】      （修正有）【課題】建物等の改修又は解体作業時に、集塵処理に手間が掛らず、フィルターの清掃・交換等が必要としない、簡易粉塵処理装置の提供。【解決手段】建物から発生する粉塵を集塵する為の装置で、粉塵発生箇所に配設される送風機２と、一端部が送風機２に接続され、他端部３ｂが貯留槽４上部の開口部５ａの一部を閉蓋する蓋部材５のダクト用開口部に接続される伸縮・屈曲自在なダクト３と、集塵用の水６を底部６ａに貯留する貯留槽４と、貯留槽４の上部に配設される、供給される水６ａを多数の孔からカーテン状にして貯留槽４の底部６ａに落下させる有孔樋７と、貯留槽４の底部６ａに配設されるとともにホース８を介して有孔樋７に底部６ａの水６を汲み上げて供給する水中ポンプ９とでなり、貯留槽４は、底部４ａに貯留する水６を、粉塵が沈殿した沈殿領域と粉塵の無い清水領域とに仕切る仕切り板４ｂを有したノッチタンクである簡易粉塵処理装置１。【選択図】図１
2017127834.tif 000002
【特許請求の範囲】
【請求項１】
建物から発生する粉塵を集塵するための装置であって、
粉塵の発生する箇所に配設される送風機と、
一端部が前記送風機に接続され、他端部が貯留槽上部の開口部の一部を閉蓋する蓋部材のダクト用開口部に接続される伸縮・屈曲自在なダクトと、
前記ダクトの先の集塵用の水を底部に貯留する貯留槽と、
前記貯留槽の上部に配設されるもので、供給される水を多数の孔から落下させて水のカーテンにして前記貯留槽の底部に落下させる有孔樋と、
前記貯留槽の底部に配設されるとともにホースを介して前記有孔樋に前記底部の水を汲み上げて供給する水中ポンプとでなり、
前記貯留槽は、底部に貯留する前記水を、粉塵が沈殿した沈殿領域と粉塵の無い清水にされた清水領域とに仕切る仕切り板を有したノッチタンクであること、
を特徴とする簡易粉塵処理装置。
【請求項２】
有孔樋は、この樋の長手方向に沿って樋底部に孔が千鳥配置にして配設されていること、
を特徴とする請求項１に記載の簡易粉塵処理装置。
【請求項３】
有孔樋における孔は、ホースから水が供給される箇所から遠くに離れて行くに従って、前記孔の直径が漸次大きく設定されていること、
を特徴とする請求項２に記載の簡易粉塵処理装置。
【請求項４】
貯留槽は、下部にキャスターが設けられて移動自在であること、
を特徴とする請求項１乃至３のいずれか１項に記載の簡易粉塵処理装置。
【発明の詳細な説明】
【技術分野】
【０００１】
本発明は、例えば、建物などを改修したり解体したりする際に、発生する粉塵を外部に廃棄する簡易粉塵処理装置に関するものである。
【背景技術】
【０００２】
建物等を改修したり躯体を斫って解体したりする際に、どうしても粉塵が発生する。その場合、掃除機や集塵機等を使用して前記粉塵を吸い込みながら作業することになるが、粉塵を吸いきれない場合がある。一方、送風機を使用して外部に粉塵を強制排気すると、外部に粉塵が飛散して周囲の環境に悪影響を与えてしまう。また、粉塵の吸い込み作業のために、掃除用作業員が改修作業員の他に必要となって、余分に人手が掛かることになる。
【０００３】
そこで、従来では、特許文献１，２に記載されているような、穀物乾燥機用集塵装置や防塵装置が知られている。
【先行技術文献】
【特許文献】
【０００４】
【特許文献１】特開２００２−２７３１４０号公報
【特許文献２】特開昭６２−１３６２１１号公報
【発明の概要】
【発明が解決しようとする課題】
【０００５】
しかし、従来例に係る集塵装置や防塵装置においては、集塵対象の粉塵の量、粒径等が異なる条件であるため、建物の解体等による粉塵に適さない。また、浮遊粉塵に対して発泡剤を使用した水を使用したり、集塵部の容器が水処理のしない小型のタンクであり、建物の改修・解体時の粉塵を集塵対象にした場合には、集塵目的に適さないタンクである。このように、建物の改修・解体時の粉塵に対する集塵作業に適した集塵装置が見当たらない。本発明に係る簡易粉塵処理装置は、このような課題を解決するために提案されたものである。
【課題を解決するための手段】
【０００６】
本発明に係る簡易粉塵処理装置の上記課題を解決して目的を達成するための要旨は、建物から発生する粉塵を集塵するための装置であって、粉塵の発生する箇所に配設される送風機と、一端部が前記送風機に接続され、他端部が貯留槽上部の開口部の一部を閉蓋する蓋部材のダクト用開口部に接続される伸縮・屈曲自在なダクトと、前記ダクトの先の集塵用の水を底部に貯留する貯留槽と、前記貯留槽の上部に配設されるもので、供給される水を多数の孔から落下させて水のカーテンにして前記貯留槽の底部に落下させる有孔樋と、前記貯留槽の底部に配設されるとともにホースを介して前記有孔樋に前記底部の水を汲み上げて供給する水中ポンプとでなり、前記貯留槽は、底部に貯留する前記水を、粉塵が沈殿した沈殿領域と粉塵の無い清水にされた清水領域とに仕切る仕切り板を有したノッチタンクであることである。
【０００７】
前記有孔樋は、この樋の長手方向に沿って樋底部に孔が千鳥配置にして配設されていることである。
【０００８】
前記有孔樋における孔は、ホースから水が供給される箇所から遠くに離れて行くに従って、前記孔の直径が漸次大きく設定されていることである。
【０００９】
前記貯留槽は、下部にキャスターが設けられて移動自在であることを含むものである。
【発明の効果】
【００１０】
本発明の簡易粉塵処理装置によれば、粉塵を吸着する効果が高く、外部への粉塵飛散を効率よく防止できる。また、この簡易粉塵処理装置は、レンタル品やリース品を使用して、簡易に設置できる。よって、建物の改修現場や解体現場に容易に低コストで設置可能でると言う優れた効果を奏するものである。更に、フィルター等の交換や清掃の手間が省けるという優れた効果を奏するものである。
【図面の簡単な説明】
【００１１】
【図１】本発明の簡易粉塵処理装置１の、使用状態における概略構成を示す縦断面図である。
【図２】同本発明の簡易粉塵処理装置１の、使用状態における概略構成を示す平面図である。
【図３】同簡易粉塵処理装置１における貯留槽であるノッチタンクの一部を透視した斜視図（Ａ）と、比較する一般的な水タンクの一部を透視した斜視図（Ｂ）である。
【図４】同簡易粉塵処理装置１における有孔樋の千鳥配置の孔における直径が、給水口の位置から遠い位置になるに従って、大きくなることを示す一部概略平面図（Ａ）、有孔樋の断面形状の他の例を示す断面図（Ｂ）である。
【図５】同簡易粉塵処理装置１における有孔樋の、他の実施例を示す概略構成図（Ａ），（Ｂ）である。
【発明を実施するための形態】
【００１２】
本発明に係る簡易粉塵処理装置１は、図１または図２に示すように、貯留槽４にノッチタンクを使用して、有孔樋７で水のカーテン（以下、水カーテンという）を作り、粉塵を効率的に吸着し沈殿させるものである。
【実施例１】
【００１３】
本発明に係る簡易粉塵処理装置１は、図１または図２に示すように、建物から発生する粉塵を集塵するための装置であって、粉塵の発生する箇所に配設される送風機２と、一端部３ａが前記送風機２に接続され、他端部３ｂが貯留槽４上部の開口部の一部を閉蓋する蓋部材５のダクト用開口部５ａに接続されるもので伸縮・屈曲自在なジャバラを有したダクト３とがある。
【００１４】
更に、前記ダクト３の先に配置されて、集塵用の水６を底部４ａに貯留する貯留槽４と、前記貯留槽４の上部開口部の一部を閉蓋する蓋部材５とがある。そして、前記蓋部材５に隣接させて前記貯留槽４の上部開口部に配設されるもので、供給される清水６ａを樋底部７ａの多数の孔７ｂから落下させて、清水６ａのカーテンにして前記貯留槽４の底部４ａに落下させる有孔樋７がある。
【００１５】
前記貯留槽４の底部４ａに配設されるとともに、ホース８を介して前記有孔樋７に前記底部４ａの水を汲み上げて供給する水中ポンプ９を有して、当該簡易粉塵処理装置１が構成されている。以下、各部品について詳細を説明する。
【００１６】
前記送風機２、ダクト３，貯留槽４、水中ポンプ９等は、市販品若しくはレンタル品である。これらは、入手しやすいものを適宜に揃えたものである。
【００１７】
前記貯留槽４は、図３（Ａ）に示すように、底部４ａから立設された仕切り板４ｂ，４ｃを有したノッチタンクである。例えば、前記仕切り板４ｂの上縁一部に、オリフィスを有することで、浮遊物が次区画へ移動するのを防止するものである。前記仕切り板４ｂ，４ｃにより、底部４ａに貯留する前記水６を、粉塵が沈殿した沈殿領域と粉塵の無い清水にされた清水領域とに仕切られるものである。
【００１８】
これに対して、図３（Ｂ）に示すものは、仕切りの無い一般の水タンク４ｄである。この水タンク４ｄには仕切りが無いので、前記沈殿領域と清水領域に分けることができず、水中ポンプ９に、粉塵でポンプの吸入口が詰まらないように、フィルター等の防塵対策が必要になるものである。本発明に係る簡易粉塵処理装置１では、貯留槽４にノッチタンクを使用することで、水タンク４ｄを使用した従来の粉塵処理装置には見られない水処理機能を発揮するものである。
【００１９】
前記貯留槽４は、図１に示すように、その下部にキャスター１０が設けられていて、移動自在である。このようにすれば、建物の改修工事階、または、解体工事階において、工事の進捗状況に合わせて、送風機２の置き場所やダクト３の敷設場所を変更した場合に応じて、適宜場所に貯留槽４を迅速に移動させることができる。また、貯留槽４の底部４ａには、沈殿領域において沈殿物排出用の排出口を設けることができる。沈殿領域に溜まった粉塵等を、汚水と共に容易に排出できるからである。
【００２０】
前記蓋部材５は、図１または図２に示すように、貯留槽４の上部開口部の一部で、ダクト３で貯留槽４内部に排気された粉塵が外に散逸しないように、閉蓋するものである。この蓋部材５は、一枚の板であったり、分割体の組み合わせであっても良く、その材質は、金属製、プラスチック製、木製などであり、特に限定するものでない。
【００２１】
前記有孔樋７は、図４乃至図５に示すように、例えば、金属製、プラスチック製、木製等であって、長手方向（図２に示す左右方向である）に沿って樋底部７ａに孔７ｂが千鳥配置にして多数配設されている。清水６ａの水カーテンを形成するためである。
【００２２】
前記有孔樋７は、一方向に細長いもので、図４（Ａ）に示すように、長手方向（左右方向）に細長いものである。また、前記一方向である長手方向に直交する短手方向（図２に示す前後方向）における、有孔樋７の断面形状は、例えば、凹部状である。この一例に限らず、図４（Ｂ）に示すように、前記断面形状を半円形状にしたり、そのほか、半楕円形状、Ｖ字形状などであっても良いものであり、特に限定するものではない。
【００２３】
更に、前記有孔樋７の樋底部７ａに、前記長手方向に沿って孔７ｂが千鳥配置にして配設されているが、孔７ｂの配置に関して、図示した例に限らず、例えば、格子状に配置したり、ランダムに配置したりすることができ、特に限定するものではない。
【００２４】
また、前記有孔樋７における孔７ｂの孔径に関しては、例えば、図４（Ａ）に示すように、ホース８の給水口８ａより水が吐出され供給される樋底部７ａの位置から、遠くに離れて行くに従って、前記孔７ｂの直径が、ａ＜ｂ＜ｃというように漸次大きく設定されている。前記給水口８ａから孔７ｂの位置が離間するに従って、樋底部７ａを流れる水量が減少するからである。勿論、孔７ｂの直径を全部同じ大きさにすることを妨げるものではない。
【００２５】
また、前記有孔樋７の他の実施例として、図５（Ａ）に示すように、有孔樋７を長手方向（左右方向）に沿って一端側を上下方向において高くして、片流れにするものである。そして、ホース８の給水口８ａを前記有孔樋７の高い位置に配設する。
【００２６】
更に他の実施例として、図５（Ｂ）に示すように、長手方向における有孔樋７の中央部において、上下方向の位置を左右端部の上下方向の位置よりも高くした、「山形」の有孔樋７とすることもできる。この有孔樋７の中央部にホース８の給水口８ａを配設して、清水６ａを左右に流すようにするものである。このようにして、有孔樋７の傾斜により、清水６ａの流れが早くなり滞留することが無いものである。
【００２７】
これ以外にも、図示していないが、長手方向に一直線状で細長い有孔樋７を、例えば、平面視して、円弧状に湾曲させたり、前後に斜行させたりして、配設することもできる。有孔樋７による水カーテンの形状を種々変えることで、ダクト３の他端部３ｂの配置を適宜に変更する等して、貯留槽４の上部開口部を有効活用することができるからである。
【００２８】
前記水中ポンプ９は、前記貯水槽４であるノッチタンクにおける清水領域に配設されているものである。前記清水領域における上澄みの清水６ａを、前記ホース８を介して有孔樋７に前記水中ポンプ９で循環させるためである。
【００２９】
以上のように構成される本発明に係る簡易粉塵処理装置１の使用方法は、図１または図２に示すように、建物内の改修・解体工事などをしている階に、送風機２を配設する。該送風機２にダクト３の一端部３ａを接続して、他端部３ｂを外部の貯留槽４のダクト用開口部５ａに接続する。
【００３０】
前記貯留槽４の底部４ａに水６を、仕切り４ｂの高さに合わせて貯留しておく。清水領域に配設された水中ポンプ９を駆動する。該水中ポンプ９に接続されているホース８を介して、有孔樋７に清水６ａが供給される。
【００３１】
前記清水６ａが有孔樋７の孔７ｂから落下して、貯留槽４の左右方向の全領域に亘って清水６ａによる水カーテンが形成される。そこで、前記送風機２のファンを駆動する。
【００３２】
図１乃至図２に示すように、建物内に発生した粉塵が、前記送風機２に吸い込まれ、貯留槽４の内部空間に排気される。この内部空間は、貯留槽４の側壁と、蓋部材５、底部４ａに貯留した水６および水カーテンによって仕切られた空間である。そして、前記粉塵が落下して、または、水カーテンに粉塵が吸着されて、沈殿領域の水６に沈殿する。
【００３３】
前記水カーテンを通過した空気は、粉塵が取り除かれて清浄な空気となって外部に排気される。一方、沈殿領域の粉塵は底部４ａに沈殿して溜まり、汚れた水６は、仕切り板４ｂ，４ｃを越えて、上澄み清水６ａとなって清水領域に至る。そして、前記水中ポンプ９によって、ホース８を介して有孔樋７に清水６ａが供給され、水６が循環される。
【００３４】
以上のようにして、建物の改修・解体の工事に伴って発生した粉塵が、貯留槽４であるノッチタンクに沈殿して集塵されるものである。前記建物の改修・解体の工事の進捗状況により、前記ジャバラのダクト３を伸縮・伸長させたりして、前記貯留槽４をキャスター１０で適宜な位置に移動するものである。前記建物の改修・解体工事の終了後に、前記送風機２、水中ポンプ９の駆動をそれぞれ停止して、貯留槽４の底部４ａにおける排水口の蓋を開けて、水６の排水および沈殿した粉塵の回収・廃棄を行うものである。
【産業上の利用可能性】
【００３５】
本発明に係る簡易粉塵処理装置１によれば、当該簡易粉塵処理装置１の構成が市販品などを使用したり、市販品の一部を改造して使用したりして、簡易に構成できるので、各種建物の改修・解体の作業に広く適用することができる。
【符号の説明】
【００３６】
１          簡易粉塵処理装置、
２          送風機、
３          ダクト、                  ３ａ      一端部、
３ｂ        他端部、
４          貯留槽、                  ４ａ      底部、
４ｂ，４ｃ  仕切り板、                ４ｄ      水タンク、    
５          蓋部材、                  ５ａ      ダクト用開口部、
６          水、                      ６ａ      清水、
７          有孔樋、                  ７ａ      樋底部、
７ｂ        孔、
８          ホース、                  ８ａ      給水口、
９          水中ポンプ、
１０        キャスター。
【図１】
2017127834.tif 000003
【図２】
2017127834.tif 000004
【図３】
2017127834.tif 000005
【図４】
2017127834.tif 000006
【図５】
2017127834.tif 000007